(57)【要約】【課題】少なくとも複数の累進屈折力レンズを含む複数の老視用眼鏡レンズから装用者に適した眼鏡レンズを選定する際に、レンズ光学設計の種類の違いについて分かり易く説明することができるようにする。【解決手段】眼鏡レンズ選定用説明補助具１は、化粧板３と、複数の表示部１１〜１５と、明視域調整部５５，５６を備える。化粧板３に、複数の表示窓２１〜２３と、目盛２７を設ける。複数の表示部１１〜１５は、複数の表示窓２１〜２３から視認可能に配置されている。そして、この複数の表示部１１〜１５には、複数の種類の眼鏡を装着した際の明視域を示す明視域表示領域５３を有している。この明視域表示領域５４の範囲は、表示窓２１〜２３の長手方向に沿って変更可能とする。そして、複数の表示部１１〜１５は、複数の種類の累進屈折力レンズを装着した際の明視域をそれぞれ表示する複数の累進屈折力レンズ用表示部１２〜１４を有する。【選択図】図１
2011107622.tif 000002
【特許請求の範囲】
【請求項１】
細長の複数の表示窓及び該複数の表示窓の長手方向に沿って形成された目盛を有する化粧板と、
前記複数の表示窓から視認可能に設けられ、複数の種類の眼鏡レンズを装着した際の明視域を示す明視域表示領域を有し、且つ前記明視域表示領域の範囲が前記複数の表示窓の長手方向に沿って変更可能な複数の表示部と、
前記明視域表示領域の範囲を変更する明視域調整部と、を備え、
前記複数の表示部は、複数の種類の累進屈折力レンズを装着した際の明視域をそれぞれ表示する複数の累進屈折力レンズ用表示部を有する
ことを特徴とする眼鏡レンズ選定用説明補助具。
【請求項２】
前記複数の累進屈折力レンズ用表示部は、
近近累進屈折力レンズを装着した際の明視域を表示する近近用表示部と、
中近累進屈折力レンズを装着した際の明視域を表示する中近用表示部と、
遠近累進屈折力レンズを装着した際の明視域を表示する遠近用表示部と、
を有することを特徴とする請求項１に記載の眼鏡レンズ選定用説明補助具。
【請求項３】
前記近近用表示部における前記明視域表示領域の表示可能な範囲は、前記中近用表示部、前記遠近用表示部における前記明視域表示領域の表示可能な範囲よりも狭く設定されている
ことを特徴とする請求項２に記載の眼鏡レンズ選定用説明補助具。
【請求項４】
前記複数の表示部は、
更に近用単焦点レンズを装着した際の明視域を表示する近用表示部及び／又は遠用単焦点レンズを装着した際の明視域を表示する遠用表示部を有する
ことを特徴とする請求項１〜３のいずれかに記載の眼鏡レンズ選定用説明補助具。
【請求項５】
前記近用表示部における前記明視域表示領域の表示可能な範囲は、前記累進屈折力レンズ用表示部の前記明視域表示領域の表示可能な範囲よりも狭く設定されている
ことを特徴とする請求項４に記載の眼鏡レンズ選定用説明補助具。
【請求項６】
更に、眼鏡装用者の裸眼時の明視域を表示する裸眼時表示部及び／又は前記眼鏡装用者が所望する明視域を表示する所望表示部を備えた
ことを特徴とする請求項１〜５のいずれかに記載の眼鏡レンズ選定用説明補助具。
【請求項７】
前記明視域表示領域は、前記明視域の近点側の下限を表示する下限側表示領域と、
前記明視域の遠点側の上限を表示する上限側表示領域と、を有する
ことを特徴とする請求項１〜６のいずれかに記載の眼鏡レンズ選定用説明補助具。
【請求項８】
前記化粧板に設けた前記目盛は、書き換え可能である
ことを特徴とする請求項１〜７のいずれかに記載の眼鏡レンズ選定用説明補助具。
【請求項９】
前記化粧板は、ホワイトボードからなる部分を有する
ことを特徴とする請求項１〜８のいずれかに記載の眼鏡レンズ選定用説明補助具。
【請求項１０】
前記複数の表示部は、
前記明視域表示領域のうち下限側を示す下限側表示領域を前記表示窓の長手方向に沿って変更可能な下限側可変表示部と、前記明視域表示領域のうち上限側を示す上限側表示領域を前記表示窓の長手方向に沿って変更可能な上限側可変表示部とを有し、
前記下限側可変表示部及び前記上限側可変表示部は、前記表示窓の長手方向に並んで配置されており、
前記複数の表示窓の長手方向に沿って所定の間隔を開けて設けられた２つの軸部と、前記２つの軸部の間に掛け渡されて回転可能に支持された輪からなる表示帯と、から構成されている
ことを特徴とする請求項１〜９のいずれかに記載の眼鏡レンズ選定用説明補助具。
【発明の詳細な説明】
【技術分野】
【０００１】
本発明は、眼鏡レンズの選定を視覚的に説明するために用いられる表示装置としての眼鏡レンズ選定用説明補助具に関し、特に老視用眼鏡レンズを選定する際の説明に用いられる眼鏡レンズ選定用説明補助具に関する。
【背景技術】
【０００２】
従来、老視用眼鏡レンズとしては、多焦点レンズ、累進屈折力レンズ（以下、「累進レンズ」ともいう）、及び近方視用に用いられる単焦点レンズ（以下、「近用単焦点レンズ」ともいう）が知られている。この累進レンズには、近方視を重視したものや遠方視を重視したものなど、目的に応じて多様な種類のレンズが存在している。
【０００３】
図６を参照して累進レンズの光学設計の違いによるはっきりと見える範囲（以下、「明視域」という。）の違いについて説明する。
図６（ａ）は近方視を重視した近近累進レンズを装着した際の明視域を示す概念図、図６（ｂ）は近方視および中間視を重視した中近累進レンズを装着した際の明視域を示す概念図、図６（ｃ）は、近方視及び遠方視を重視した遠近累進レンズを装着した際の明視域を示す概念図である。
【０００４】
図６（ａ）に示すように、近近累進レンズを装着した場合の明視域Ｑ１は、装用者Ｐの机Ｄの周りが良く見えるが、遠方視には向いていないことが分かる。そのため、この近近累進レンズは、一般的に、本を読んだり、パーソナルコンピュータで仕事をしたりするなどのデスクワークに向いているといえる。また、図６（ｂ）に示すように、中近累進レンズを装着した場合の明視域Ｑ２は、装用者Ｐの机Ｄから室内かけて良く見えることが分かる。そのため、この中近累進レンズは、一般的に、室内での仕事に向いているといえる。
【０００５】
そして、図６（ｃ）に示すように、遠近累進レンズを装着した場合の明視域Ｑ３は、装用者Ｐの手元から遠くまで見えることが分かる。しかしながら、遠近累進レンズを装着した際の近方視の視野は、近近累進レンズの視野に比べて、装用者Ｐの周囲である、机Ｄ周りで狭くなっている。
【０００６】
このように、レンズの種類によって、明視域や視野の広さが異なっている。そのため、眼鏡店などでは、多種類のレンズから顧客、すなわち眼鏡装用者の目的に応じたレンズを選定する必要性がある。
【０００７】
多種類のレンズから顧客の目的に応じたレンズを選定する方法としては、例えば特許文献１や特許文献２に記載されているような技術がある。この特許文献１や特許文献２には、眼鏡装用者の年齢や、眼鏡を装着する状況等の各種データから適正なレンズを選択する技術が開示されている
【先行技術文献】
【特許文献】
【０００８】
【特許文献１】特開平３−２０６４１７号公報
【特許文献２】特開平１０−１１５８０８号公報
【発明の概要】
【発明が解決しようとする課題】
【０００９】
しかしながら、特許文献１や特許文献２に記載された技術では、個人データや装着する状況等のデータからレンズの選定を行うだけである。そのため、顧客に、レンズの違い、例えば、装着した際にはっきり見える範囲の違いについて簡単に説明を行うことが難しい、という問題を有していた。
【００１０】
また、眼鏡店等では、販売員がレンズの種類の違いを顧客に分かり易く説明して対話を図るためのコミュニケーションツールが求められている。しかしながら、特許文献１や特許文献２に記載された技術では、選定を行うためのデータが格納されたコンピュータ等の大掛かりな装置が必要であった。そのため、特許文献１や特許文献２に記載された装置を、眼鏡店に来店した顧客に対してコミュニケーションツールとして気軽に使用することは、困難であった。
【００１１】
本発明の目的は、上記の問題点を考慮し、光学設計の異なる複数の累進レンズを含む老視用眼鏡レンズの中から眼鏡装用者の装用環境や目的に適した眼鏡レンズを選定する際に、レンズ光学設計の種類の違いについて分かり易く説明することができる眼鏡レンズ選定用説明補助具を提供することにある。
【課題を解決するための手段】
【００１２】
上記課題を解決し、本発明の目的を達成するため、本発明の眼鏡レンズ選定用説明補助具は、細長の複数の表示窓及び該複数の表示窓の長手方向に沿って形成された目盛を有する化粧板と、を備えている。更に、複数の表示窓から視認可能に設けられ、複数の種類の眼鏡レンズを装着した際の明視域を示す明視域表示領域を有し、且つ明視域表示領域の範囲が複数の表示窓の長手方向に沿って変更可能な複数の表示部と、明視域表示領域の範囲を変更する明視域調整部と、を備えている。更に、複数の表示部は、複数の種類の累進屈折力レンズを装着した際の明視域をそれぞれ表示する複数の累進屈折力レンズ用表示部を有する。
【発明の効果】
【００１３】
本発明の眼鏡レンズ選定用説明補助具によれば、眼鏡レンズの光学設計の種類ごとの明視域を変更可能に示す複数の表示部を備えたことで、顧客等の眼鏡装用者に眼鏡を装着した際の明視域の範囲を視覚に訴えることができる。その結果、眼鏡選定の際に、眼鏡店等の販売員は、眼鏡装用者に対してレンズ光学設計の種類を分かり易く説明することができる。また、構成が簡単であるため、持ち運び易く軽量に形成することができ、本発明の眼鏡レンズ選定用説明補助具を携帯することができる。
【００１４】
更に、レンズ光学設計の種類の違いによる装用時の明視域の違いを分かり易く説明することができるため、眼鏡店等の販売員が眼鏡装用者である顧客との対話を図るためのコミュニケーションツールとしても使用することが可能である。
【図面の簡単な説明】
【００１５】
【図１】本発明の眼鏡レンズ選定用説明補助具の実施の形態例を示す斜視図である。
【図２】本発明の眼鏡レンズ選定用説明補助具の実施の形態例を示す正面図である。
【図３】本発明の眼鏡レンズ選定用説明補助具の実施の形態例を示す図２のＡ−Ａ線断面図である。
【図４】本発明の眼鏡レンズ選定用説明補助具に係る中間板を示す正面図である。
【図５】本発明の眼鏡レンズ選定用説明補助具の第２の実施の形態例を示す正面図である。
【図６】累進レンズの種類における見え方の比較を示す図である。
【発明を実施するための形態】
【００１６】
以下、本発明の眼鏡レンズ選定用説明補助具の実施形態例について、図１〜図４を参照して説明する。なお、各図において共通の部材には、同一の符号を付している。また、本発明は、以下の形態に限定されるものではない。
なお、説明は以下の順序で行う。
１．眼鏡レンズ選定用説明補助具の構成例
２．眼鏡レンズ選定用説明補助具の使用例
【００１７】
１．眼鏡レンズ選定用説明補助具の構成例
まず、図１〜図３を参照して本発明の実施の形態例（以下、「本例」という。）にかかる眼鏡レンズ選定用説明補助具の構成について説明する。
図１は本例の眼鏡レンズ選定用説明補助具を示す斜視図、図２は本例の眼鏡レンズ選定用説明補助具を示す正面図である。図３は、図２に示すＡ−Ａ線で断面した断面図、図４は、本例の眼鏡レンズ選定用説明補助具に係る中間板を示す正面図である。
【００１８】
本例の眼鏡レンズ選定用説明補助具は、例えば眼鏡店や眼科医院等で販売員や眼科医が顧客に眼鏡を選定する際に説明するための補助具として用いられるものである。図１に示すように、眼鏡レンズ選定用説明補助具１は、５つの表示部１１，１２，１３，１４，１５が設けられた本体２から構成されている。
【００１９】
５つの表示部１１，１２，１３，１４，１５は、後述する表示窓と明視域可変表示部とから構成されている。この５つの表示部１１〜１５は、以下、本体２の短手方向の一側、すなわち左から順番に、第１の表示部１１、第２の表示部１２、第３の表示部１３、第４の表示部１４、第５の表示部１５という。
【００２０】
本例では、第１及び第５の表示部１１，１５は、単焦点レンズを装着した際の明視域を表示する表示部（以下「単焦点レンズ用表示部」あるいは「累進レンズ用表示部」という）に設定されている。そして、第１の表示部１１が近用単焦点レンズを装着した際の明視域を表示する表示部（以下「近用表示部」ともいう）、第５の表示部１５が遠用単焦点レンズを装着した際の明視域を表示する表示部（以下「遠用表示部」ともいう）となっている。
【００２１】
また、第２〜第４の表示部１２〜１４は、累進屈折力レンズを装着した際の明視域を表示する表示部（以下「累進屈折力レンズ用表示部」ともいう）に設定されている。そして、第２の表示部１２が近近累進屈折力レンズを装着した際の明視域を表示する表示部（以下「近近用表示部」ともいう）、第３の表示部１３が中近累進屈折力レンズを装着した際の明視域を表示する表示部（以下「中近用表示部」ともいう）となっている。更に、第４の表示部１４が、遠近累進屈折力レンズを装着した際の明視域を表示する表示部（以下「遠近用表示部」ともいう）となっている。
【００２２】
なお、近用、近近用、中近用、遠近用、及び、遠用の表示部の並び順は任意に設定可能である。しかしながら、本例のように、明視域の上限値が大きい順あるいは小さい順に並べると、レンズ種類の違いを比較しやすいので好ましい。
【００２３】
この本体２は、略長方形を略平板状（薄い略直方体）に形成されている。そして、この本体２は、同じ外形状の化粧板３と、２つのスペーサ板４，６と、中間板７と、背面板８とを重ね合わせて構成されている。
【００２４】
化粧板３は、本例では縦長の略長方形をなす略平板状に形成されている。化粧板３には、所定の幅で細長（帯状）に開口した５つの表示窓２１，２２，２３，２４，２５と、この５つの表示窓２１〜２５の長手方向に沿って形成された目盛２７と、表示窓２１〜２５の長手の方向の一端側にそれぞれ形成された５つのレンズ種類表示部２８が設けられている。
【００２５】
図２に示すように、細長に開口された５つの表示窓２１〜２５は、本例においては細長の略長方形状に形成されており、化粧板３の長手方向、すなわち上下方向に延在し、それぞれ平行に並んで配置されている。また、この５つの表示窓２１〜２５の長手方向の一端は、それぞれ化粧板３の上下方向における略同一の位置に揃えられている。そして、第１の表示窓２１は、化粧板３の短手方向、すなわち左右方向の一側に配置されており、この第１の表示窓２１から化粧板３の左右方向の他側に向けて第２の表示窓２２〜第５の表示窓２５が所定の間隔を開けて順番に配置されている。
【００２６】
第１の表示窓２１は、第１の表示部１１である近用表示部の表示窓（以下、「近用表示窓」ともいう）であり、第２の表示窓２２は、第２の表示部１２である近近用表示部の表示窓（以下、「近近用表示窓」ともいう）である。また、第３の表示窓２３は、第３の表示部１３である中近用表示部の表示窓（以下、「中近用表示窓」ともいう）であり、第４の表示窓２４は、第４の表示部１４である遠近用表示部の表示窓（以下、「遠近用表示窓」ともいう）である。そして、第５の表示部２５は、第５の表示部１５である遠用表示部１５の表示窓（以下、「遠用表示窓」ともいう）である。
【００２７】
本例では、近用表示窓２１の長手方向の長さは、他の表示窓２２〜２５の長手方向の長さよりも短く設定されている。また、近近用表示窓２２の長手方向の長さは、中近用、遠近用、及び遠用の表示窓２３〜２５の長手方向の長さよりも短く設定されている。
【００２８】
そして、中近用、遠近用、及び、遠用の表示窓２３〜２５の長手方向の長さは同じに設定されている。なお、近用表示窓２１と近近用表示窓２２の長手方向の長さを同じでかつ他の表示窓２３〜２５の長手方向の長さより短く設定してもよい（図５参照）し、中近用表示窓２３の長手方向の長さを近用表示窓２１及び近近用表示窓２２の長手方向の長さより長く、かつ、遠近用表示窓２４及び遠用表示窓２５より短く設定してもよい。これによりレンズ種類の違いをより明確に表現することができる。
【００２９】
また、５つの表示窓２１〜２５の短手方向の両側には、眼鏡装用者からの距離を表す目盛２７が設けられている。この目盛２７は、両端に位置する第１の表示窓２１及び第５の表示窓２５の外側にその長手方向に沿って記載されている。そして、この目盛２７から５つの表示窓２１〜２５の短手方向に沿って同じ目盛の値を示す複数の罫線２９が５つの表示窓２１〜２５を横切るように記載されている。
【００３０】
目盛２７の値は、５つの表示窓２１〜２５の長手方向の一側から順に、２５ｃｍ、書類、ノートＰＣ、デスクトップＰＣ、８０ｃｍ、１ｍ、５ｍと、遠方を示す山の絵を記載している。なお、この目盛２７の値は、上述したものに限定されるものではなく、眼鏡装用者である顧客が分かり易い値や眼鏡使用目的等に適宜変更されるものである。
【００３１】
更に、５つの表示窓２１〜２５の長手方向の一側には、レンズ光学設計の種類や使用目的などのレンズ種類を特定する名称が記入されたレンズ種類表示部２８が設けられている。本例では、レンズ光学設計種類や使用目的の名称として、第１の表示窓２１から順に、近用、デスクワーク用、室内用、遠近両用、遠用と、記載している。しかしながら、レンズ種類表示部２８に記入される名称は、上述したものに限定されるものでない。例えば、例えば、デスクワーク用を近近用累進レンズ、室内用を中近用累進レンズ、遠近両用を遠近用累進レンズ等のように、眼鏡装用者である顧客が分かり易い名称に適宜変更してもよい。
【００３２】
化粧板３の材質としては、紙や、ポリエチレンテレフタレート（ＰＥＴ）等の合成樹脂等を用いることができる。また、化粧板３の全体または一部をホワイトボードで形成してもよい。化粧板３をホワイトボードで形成することで、例えば目盛２７やレンズ種類表示部２８が記載されている部分がホワイトボードで形成されている場合には、目盛２７の値やレンズ種類表示部２８に記載されるレンズ種類の名称を書き換えることができ、眼鏡選定の説明を眼鏡装用者に対して分かり易く説明することができる。
【００３３】
更に、化粧板３をホワイトボードで形成することで、ホワイトボードで形成された化粧板３の空いたスペースに、目盛やその罫線を追加したり、眼鏡装用者の裸眼時の明視域や、眼鏡装用者が要望する明視域等のメモを記入したりすることができる。その結果、眼鏡選定の説明を顧客に対して、より分かり易く行うことが可能である。なお、目盛の領域やレンズ種類表示部の領域をホワイトボードで形成した場合は、目盛の値やレンズ種類名称の値をブランクにしたり、薄い色で表示したり、小さい文字で表示したりして書き込み易いようにしてもよい。
【００３４】
化粧板３の背面側には、第１のスペーサ板４が配置されている。第１のスペーサ板４と第２のスペーサ板６は、化粧板３と同様の外形状（本例では縦長の略長方形）をなす略平板状に形成されている。また、図３に示すように、第１のスペーサ板４及び第２のスペーサ板６には、化粧板３の５つの表示窓２１〜２５と厚さ方向で対応する位置に、開口部１７が形成されている。この開口部１７の開口面積は、化粧板３の表示窓２１〜２５の開口面積よりも大きく設定されている。
【００３５】
また、第１のスペーサ板４と第２のスペーサ板６の間には、中間板７が介在されている。更に、第２のスペーサ板６の背面側には、開口部１７を閉じるように化粧板３と同様の外形状（本例では縦長の略長方形）をなす略平板状の背面板８が配置されている。そして、化粧板３、第１のスペーサ板４、中間板７、第２のスペーサ板６及び背面板８は、それぞれ接着剤による接着等の固定方法によって一体に固定されている。
【００３６】
図４に示すように、中間板７は、薄い平板状に形成されている。この中間板７における化粧板３の５つの表示窓２１〜２５と対応する位置には、それぞれ３つの軸受部３１，３２，３３が設けられている。すなわち、中間板７には、全体で１５の軸受部３１，３２，３３が形成されている。
【００３７】
３つの軸受部３１，３２，３３は、中間板７の長手方向に所定の間隔を開けて配置されている。中間板７の長手方向の一側には、第１の軸受部３１が配置されており、長手方向の他側には、第２の軸受部３２が配置されている。そして、第１の軸受部３１と第２の軸受部３２の間には、第３の軸受部３３が配置されている。
【００３８】
第１の軸受部３１、第２の軸受部３２及び第３の軸受部３３は、それぞれ略四角形状に開口されている。そして、第１の軸受部３１には、一対の第１突起片３４，３４が設けられており、第２の軸受部３２には、一対の第２突起片３５，３５が設けられている。また、第３の軸受部３３には、一対の第３突起片３６，３６と一対の第４突起片３７，３７が設けられている。そして、一対の第３突起片３６，３６は、第３の軸受部３３における第１の軸受部３１側に配置され、一対の第４突起片３７，３７は、第３の軸受部３３における第２の軸受部３２側に配置されている。
【００３９】
次に、５つの表示部１１〜１５の構成について説明する。
表示部１１〜１５は、それぞれ表示窓２１〜２５と、明視域可変表示部７１〜７５とから構成されている。明視域可変表示部７１〜７５は、下限側可変表示部７１ａ〜７５ａと、上限側可変表示部７１ｂ〜７５ｂとからなる。なお、５つの表示部１１〜１５は、それぞれ同様の構造からなる構成を有しているため、ここでは、第５の表示部１５について説明する。
【００４０】
図３に示すように、第５の表示部１５は、表示窓２５と、明視域可変表示部７５とからなり、明視域可変表示部７５は、下限側可変表示部７５ａと上限側可変表示部７５ｂとから構成されている。下限側表示部７５ａは、下限側表示帯４１と、２つの下限側軸部４４，４６と２対の突起片３４，３６を備えた軸受部３１，３３とを有している。また、上限側表示部７５ｂは、上限側表示帯４２と、２つの上限側軸部４５,４７と２対の突起片３５，３７を備えた軸受部３２,３３とから構成されている。そして、下限側可変表示部７５ａと上限側可変表示部７５ｂは、表示窓２５の長手方向に直線状に並んで配置されている。
【００４１】
４対の突起片３４〜３７は、前述のとおり中間板７に形成された軸受部３１〜３３に設けられている。４つの軸部４４〜４７は、それぞれ円筒状に形成されており、その中央の孔を軸受部３１〜３３の突起片３４〜３７によって両端から軸支さえて回転可能に支持されている。そして、図４に示すように、第１の下限側軸部４４は、第１の軸受部３１の第１突起片３４に取り付けられており、第２の下限側軸部４６は、第３の軸受部３３の第３突起片３６に取り付けられている。また、第１の上限側軸部４６は、第２の軸受部３２の第２突起片３５に取り付けられており、第２の上限側軸部４７は、第３の軸受部３３の第４突起片３７に取り付けられている。
【００４２】
下限側表示帯４１及び上限側表示帯４２は、帯状部材の長手方向の一端と他端を接続して輪状の部材に形成されている。下限側表示帯４１には、明視域の近点側の領域を表示する下限側表示領域５１と、空白領域５０が設けられている（図２参照）。そして、この下限側表示帯４１は、第１の下限側軸部４４と第２の下限側軸部４６に掛け渡されることによって回転可能に支持されている。
【００４３】
また、下限側表示帯４１における下限側表示領域５１と空白領域５０の境界には、下限側表示帯４１を回転させるための下限側レバー５５が設けられている。下限側可変表示部７５ａは、下限側表示帯４１が表示窓２５の下側の裏面に近接しながら回転するとともに、下限側レバー５５が、表示窓２３から外に突出するように取り付けられている。また、下限側レバー５５の下側に空白領域５０、上側に下限側表示領域５１がくるように取り付けられている。そして、この明視域調整部である下限側レバー５５を表示窓２５の長手方向に沿って移動させるように操作することで、下限側表示領域５１を第５の表示窓２５から視認できる範囲が変更される。
【００４４】
なお、下限側レバー５５の移動可能範囲は表示窓２５の下端と上限側可変表示部７５ｂの下端により制限されるため、下限側レバー５５の下側に空白領域５０、上側に下限側表示領域５１が表示窓２５内に表示される。そして、下限側レバー５５を移動させることによりそれぞれの領域の割合が変化する。
【００４５】
また、上限側表示帯４２には、明視域の遠点側の上限領域を表示する上限側表示領域５２と、空白領域５０が設けられている。そして、この上限側表示帯４２は、第２の軸部４５と第４の軸部４７に掛け渡されることによって回転可能に支持されている。
【００４６】
また、この上限側表示帯４２における上限側表示領域５２と空白領域５０の境界には、上限側表示帯４２を回転させるための上限側レバー５６が設けられている。上限側可変表示部７５ｂは、上限側表示帯４２が表示窓２５の上側の裏面に近接しながら回転するとともに、上限側レバー５６が、表示窓２３から外に突出するように取り付けられている。また上限側レバー５６の上側に空白領域５０、下側に上限側表示領域５２がくるように取り付けられている。そして、この明視域調整部である上限側レバー５６を表示窓２５の長手方向に沿って移動させるように操作することで、上限側表示領域５２を第５の表示窓２５から視認できる範囲が変更される。
【００４７】
なお、上限側レバー５６の移動可能範囲は表示窓２５の上端と下限側可変表示部７５ａの上端により制限されるため、上限側レバー５６の上側に空白領域５０、下側に下限側表示領域５２が表示窓２５内に表示され、上限側レバー５５を移動させることによりそれぞれの領域の割合が変化する。
【００４８】
また、下限側表示帯４１の下限側レバー５５は、眼鏡装用者がものをはっきりと見ることができる近点距離の下限を示し、上限側表示帯４２の上限側レバー５６は、遠点距離の上限を示す。そして、下限側表示帯４１の下限側表示領域５１と上限側表示帯４２の上限側表示領域５２によって、明視域の範囲を示す明視域表示領域５４を構成している。これにより、下限側レバー５５及び上限側レバー５６を操作することで、明視域表示領域５４の範囲を変更することができる。
【００４９】
更に、この第５の表示部１５は、第１のスペーサ板４及び第２のスペーサ板６の開口部１７に収納される。これにより、第５の表示部１５は、化粧板３の第５の表示窓２５から明視域表示領域５４及び空白領域５０が視認可能に配置される（図２参照）。
【００５０】
ここで、下限側表示帯４１及び上限側表示帯４２の空白領域５０は、第５の表示窓２５の長手方向の両側に表示される。そのため、明視域表示領域５４は、２つの空白領域５０に挟まれて第５の表示窓２５に表示される。
【００５１】
なお、第１の表示部１１は、第１の表示窓２１から視認可能に配置されており、第２の表示部１２は、第２の表示窓２２から視認可能に配置されている。同様に、第３の表示部１３及び第４の表示部１４も、それぞれ化粧板３の第３の表示窓２３及び第４の表示窓２４から視認可能に配置されている。
【００５２】
本例では、第１の表示部１１が近用単焦点レンズを装着した際の明視域を表示し、第２の表示部１２が例えばデスクワーク用に用いられる近近用累進レンズを装着した際の明視域を表示する。また、第３の表示部１３が例えば室内用に用いられる中近用累進レンズを装着した際の明視域を表示し、第４の表示部１４が遠近用累進レンズを装着した際の明視域を表示する。そして、第５の表示部１５が遠用単焦点レンズを装着した際の明視域を表示する。
【００５３】
ここで、近用単焦点レンズの第１の表示部１１における上限側表示帯４２の可動範囲は、他の表示部１２〜１５の上限側表示帯４２の可動範囲よりも狭く設定されている。更に、第１の表示部１１では、上限側表示帯４２と下限側表示帯４１が接近する中間点を、他の表示部１２〜１５よりも眼鏡装用者に近い位置（例えば、４０ｃｍ前後）に設けている。これより、他の表示部１２〜１５に比べて、明視域の範囲を眼鏡装用者から近い位置で細かく調整することができる。このように、第１の表示部１１は、近用単焦点レンズに特化した表示部としている。
【００５４】
上述したように、レンズの種類ごとに表示部を設けることで、レンズの種類ごとの明視域の違いを眼鏡装用者である顧客の視覚に訴えることができる。そのため、眼鏡の選定を行う際に、顧客に対してレンズの種類の違いについて分かり易く説明することができる。
【００５５】
更に、本例の眼鏡レンズ選定用説明補助具１は、構成が極めて簡単なため、眼鏡店等の販売員が携帯できるように小型に形成することができる。このように、眼鏡店等の販売員が携帯できると共に、レンズの違いを簡単に説明することができるため、眼鏡店に来店した顧客と対話を図るためのコミュニケーションツールとして用いることができる。
【００５６】
なお、本例では、表示部の数を５つとしたが、表示部の数は、これに限定されるものではない。例えば、表示部の数を４つ以下としてもよく、或いは表示部を６つ以上設けてもよい。
【００５７】
また、第１の表示部１１又は第５の表示部１５の隣りに、眼鏡装用者の裸眼時の明視域を表示するための裸眼時表示部や、眼鏡装用者が求める明視域を表示する所望表示部を設けてもよい。なお、遠用単焦点レンズを装着した際の明視域を表示する第５の表示部１５を、裸眼時表示部や所望表示部として用いてもよい。このように、眼鏡装用者が求める明視域をレンズの明視域と一緒に表示することで、眼鏡の選定をスムーズに行うことができる。
【００５８】
更に、本例における「明視域」は、快適明視域であってもよい。また、本例では、表示部を正面から見た形状が細長の長方形の例を説明したが、これに限定されるものではない。表示部の形状を例えば、正方形や横長の長方形でもよいし、任意の形状に形成してもよい。更に、表示部は、本体の上下方向を長手方向とするように配置した例を説明したが、表示部を本体の左右方向に長手方向を有するように配置してもよく、あるいは本体の上下方向に対して傾斜させてもよい。また、本例では、表示窓の形状を矩形に形成した例を説明したが、表示窓の形状を長円や細長の楕円に形成してもよい。
【００５９】
図６は、第２の実施の形態例を示す眼鏡レンズ選定用説明補助具１Ａを示す正面図である。
図６に示すこの眼鏡レンズ選定用説明補助具１Ａは、化粧板３Ａの右側、すなわち第５の表示窓２５の隣りに、ホワイトボード６０を設けている。そして、近用及び近近用の表示部１１、１２の長手方向の長さを同じに設定している。
【００６０】
ホワイトボード６０には、例えば裸眼時の明視域や所望の明視域を書き込んだり、目盛を書き込んだりですることができる。これにより、顧客に対してより分かり易くレンズ光学設計の種類の違いについて説明することが可能である。更に、近用及び近近用の表示部を同じ形状にしたため、表示帯等の部材の共有化を図ることができる。
【００６１】
その他の構成は、上述した第１の実施の形態例にかかる眼鏡レンズ選定用説明補助具１と同様であるため、それらの説明は省略する。このような構成を有する眼鏡レンズ選定用説明補助具１Ａによっても、上述した第１の実施の形態例にかかる眼鏡レンズ選定用説明補助具１と同様の作用効果を得ることができる。
【００６２】
２．眼鏡レンズ選定用説明補助具の使用例
次に、上述したような構成を有する眼鏡レンズ選定用説明補助具１の使用方法の一例について図２を参照して説明する。
【００６３】
まず、眼鏡装着者である顧客の明視域を確認する。その方法は、必要とする遠用度数を装着して（正視の場合が裸眼で良い）近点距離を測定する。そして、この近点距離から顧客の目の調節力を求める。次に、顧客の目的距離を見出し、各レンズ種の各表示部１１〜１５の下限側レバー５５及び／又は上限側レバー５６を操作して、明視域表示領域５４の範囲を調整し、顧客の生活習慣に応じたレンズを装着した際の明視域を表示する。これにより、眼鏡を装着した際の明視域を顧客の視覚に訴えることができるため、レンズの明視域を分かり易く説明することができる。
【００６４】
また、顧客の生活習慣に応じた眼鏡のレンズだけでなく、他のレンズの眼鏡を装着した際の明視域を表示することで、顧客に対して新たな眼鏡を提案することもできる。
【００６５】
なお、本発明は上述しかつ図面に示した実施の形態に限定されるものではなく、特許請求の範囲に記載した発明の要旨を逸脱しない範囲内で種々の変形実施が可能である。例えば、上述した実施の形態例では、第２の表示部の表示範囲を第３の表示部や第４の表示部の表示範囲よりも狭く設定した例を説明したが、これに限定されるものではなく、第２の表示部の表示範囲を第３の表示部の表示範囲と同じにしてもよい。
【００６６】
また、輪状の表示帯を２つの軸部で回転可能に支持させて、表示帯を回転させることで明視域表示領域の範囲を調整した例を説明したが、明視域表示領域の範囲を調整する調整手段は、これに限定されるものではない。例えば、明視域表示領域が記載されたテープを軸部に巻回させて、この軸部からテープを引き出すことで明視域表示領域の範囲を調整してもよい。
【符号の説明】
【００６７】
１，１Ａ…眼鏡レンズ選定用説明補助具、  ２…本体、  ３…化粧板、  ４…第１のスペーサ板、  ６…第２のスペーサ板、  ７…中間板、  ８…背面板、  １１…第１の表示部（単焦点レンズ用表示部）、  １２…第２の表示部（累進屈折力レンズ用表示部）、  １３…第３の表示部（累進屈折力レンズ用表示部）、  １４…第４の表示部（累進屈折力レンズ用表示部）、  ５…第５の表示部（単焦点レンズ用表示部）、  １７…開口部、  ２１…第１の表示窓、  ２２…第２の表示窓、  ２３…第３の表示窓、  ２４…第４の表示窓、  ２５…第５の表示窓、  ２７…目盛、  ２８…レンズ種類表示部、  ２９…罫線、  ３１…第１の軸受部、  ３２…第２の軸受部、  ３３…第３の軸受部、  ４１…下限側表示帯（表示帯）、  ４２…上限側表示帯（表示帯）、  ４４…第１の軸部、  ４５…第２の軸部、  ４６…第３の軸部、  ４７…第４の軸部、  ５０…空白領域、  ５１…下限側表示領域、  ５２…上限側表示領域、  ５４…明視域表示領域、  ５５…下限側レバー（明視域調整部）、  ５６…上限側レバー（明視域調整部）、  ６０…ホワイトボード、  ７５…明視域可変表示部、  ７５ａ…下限側可変表示部、  ７５ｂ…上限側可変表示部
【図１】
2011107622.tif 000003
【図２】
2011107622.tif 000004
【図３】
2011107622.tif 000005
【図４】
2011107622.tif 000006
【図５】
2011107622.tif 000007
【図６】
2011107622.tif 000008